(57)【特許請求の範囲】
【請求項１】
別々の放送局よりＦＭ多重で放送されるＤＧＰＳ情報とＶＩＣＳ情報を１つの受信機で受信するＦＭ多重放送データ受信方法において、
ｎ分間のＶＩＣＳ情報が重複して放送される場合、最初のｎ分に相当するｍ個のフレームのうちどの番号のフレームでＶＩＣＳ情報を受信し、どの番号のフレームでＤＧＰＳ情報を受信するかを指定し、かつ、次のｎ分に相当するｍ個のフレームのうち、最初のｎ分においてＶＩＣＳ情報を受信するとしたフレーム番号のフレームではＤＧＰＳ情報を受信し、最初のｎ分においてＤＧＰＳ情報を受信するとしたフレーム番号のフレームではＶＩＣＳ情報を受信することを指定するテーブルを設け、
最初のｎ分及び次のｎ分のそれぞれにおいて、前記テーブルを参照してＶＩＣＳ情報を受信するフレームではＶＩＣＳ情報を受信してメモリに記憶し、ＤＧＰＳ情報を受信するフレームではＤＧＰＳ情報を受信してメモリに記憶する、
ことを特徴とするＦＭ多重放送データ受信方法。
【発明の詳細な説明】
【０００１】
【発明の属する技術分野】
本発明は別々の放送局よりＦＭ多重で放送されるＤＧＰＳ情報とＶＩＣＳ情報を１つの受信機で受信するＦＭ多重放送データ受信方法に係わり、特にｎ分間のＶＩＣＳ情報が重複して放送される場合において、ＤＧＰＳ情報とＶＩＣＳ情報を受信するＦＭ多重放送データ受信方法に関する。
【０００２】
【従来の技術】
自動車を目的地に向けて案内するナビゲーションシステムにおいては、正確に自動車位置を把握すること及び道路交通情報（渋滞、事故、規制等）を正しく認識することが重要になっている。
現在、自動車位置は、(1) 距離センサー（例えば車速センサー）や方向センサー（例えばジャイロ）を用いた自立航法と、(2) 衛星から位置情報を受信する ＧＰＳ(Global Positioning System)航法が併用されている。ＧＰＳの位置精度は悪く１００ｍ以上に及ぶ場合がある。このため、ＧＰＳの位置精度を向上することが求められており、ＤＧＰＳ（Differential Global Positioning System)が提案され実用に供されるようになっている。ＤＧＰＳは、(1) 正確な位置が既知の場所においてＧＰＳ衛星電波を受信して測位し、(2) 既知の位置と測位位置間の誤差を決定し、(3) 同じ地域で同じ測位システムのユーザに、決定したその誤差または補正係数を送信することによって測位システムの位置精度や信頼性を向上、確保するもので、(4) ユーザに上記情報を送信する手段とし、ＦＭ多重放送電波が利用されている。
【０００３】
又、道路交通情報（渋滞、事故、規制等）は、道路交通情報通信システム（ＶＩＣＳ）が提供しており、車載のナビゲーションシステムは道路交通情報（ＶＩＣＳ情報）を受信してリアルタイムに地図上に表示するようになっている。ＶＩＣＳ情報の表示法としてはレベル１〜レベル３が利用でき、状況や目的に応じて所望のレベルで道路交通情報を表示できるようになっている。レベル１は文字情報表示モードであり、ディスプレイ画面の上方エリアに文字で、区間旅行時間情報、障害情報、サービス情報、一般ＦＭ文字情報等を表示するものである。レベル２は簡易図形表示モードであり、混雑監視道路の簡易図形を描画し、該簡易図形上に渋滞・障害情報などを表示するものである。レベル３は地図情報表示モードであり、渋滞・事故・規制などの情報を、地図上にリアルタイムに表示するものである。ＶＩＣＳ道路交通情報を利用することにより、運転者は渋滞道路、通行規制道路、事故発生道路を回避して目的地に短時間で到達できるようになる。かかるＶＩＣＳ情報を送信する手段としては、現在、光ビーコン、電波ビーコン及びＦＭ多重放送電波が利用されている。各通信手段の通信エリアはＦＭ多重放送が１局につき１０〜５０ｋｍ、電波ビーコンが１基につき６０〜７０ｍ、光ビーコンが１基につき３．５ｍである。このため、通信エリアの広いＦＭ多重放送は高域の交通情報を流し、電波ビーコンと光ビーコンは限られた地域に交通情報を流すようになっている。
【０００４】
図１２はＦＭ放送に多重されるＦＭ多重データの構成図であり、１フレーム当たり２７２ブロック（パケット）からなり、２７２ブロックのうち１９０ブロックがデータブロック、８２ブロックがパリティのみを伝送するパリティブロックで、パリティブロックはデータブロック内に分散して配置されている。１フレームは４．８９６秒、１ブロックは１８ｍｓｅｃである。
各データブロックは、１６ビットのブロック識別符号ＢＩＣ（Block Identify Code)と、１７６ビットのデータと、１４ビットのＣＲＣ符号と、８２ビットの誤り検出訂正用のパリティ（横符号）で構成されている。又、パリティブロックは、１６ビットのブロック識別符号ＢＩＣと、１９０ビットのパリティ（縦符号）と、８２ビットの誤り検出訂正用のパリティ（横符号）とで構成されている。最初の１３ブロックのうちデータブロックの識別符号はＢＩＣ１であり、次の１２３ブロックのうちデータブロックの識別符号はＢＩＣ３であり、次の１３ブロックのうちデータブロックの識別符号はＢＩＣ２であり、最後の１２３ブロックのうちデータブロックの識別符号はＢＩＣ３であり、パリティブロックの識別符号はＢＩＣ４である。
【０００５】
ブロック識別符号を１ブロック毎に検出することによりブロック同期をとることができ、又、２７２ブロック毎に（ブロック識別符号ＢＩＣ４の次にＢＩＣ１を検出することにより）フレーム同期をとることができる。又、誤り検出訂正用のパリティ（縦符号、横符号）が含まれているから、これらパリティを用いて誤り検出及び誤り訂正処理（縦訂正、横訂正）を行うことができる。更に、データブロックにはＣＲＣ符号が含まれているから１ブロック毎にＣＲＣチェックを行うことができる。
ＶＩＣＳ情報は、フレームの全ブロックを用いて送信されるが、ＤＧＰＳ情報は、フレーム先頭の２ブロックを用いて送信される。
【０００６】
１７６ビットのデータブロック（図１２の１９０ビットのデータブロックから１４ビットのＣＲＣブロックを除いたもの）は３２ビットのプリフィックスと１４４ビットのデータブロック本体で構成されている。プリフィックスは、図１３に示すように、
▲１▼番組内容の識別と伝送モードを示すと共にデータパケット構成を指定するサービス識別部５１ａと、
▲２▼誤り訂正回路の復号方法を指定する復号識別フラグ（”１”は横方向のみ復号、”０”横縦横復号）５１ｂと、
▲３▼あるデータグループ番号で伝送するデータグループの終了を示す情報終了フラグ（”１”は終了）５１ｃと、
▲４▼あるデータグループ番号で伝送するデータグループが更新されていることを示す更新フラグ５１ｄと、
▲５▼データグループ番号を指定するデータグループ番号部５１ｅと、
▲６▼データパケット番号部５１ｆとで構成されている。
【０００７】
【発明が解決しようとする課題】
現在、ＤＧＰＳ情報はＪＦＮ系列のＦＭ多重局が送信し、ＶＩＣＳ情報はＮＨＫ系列のＦＭ多重局が送信するようになっている。このため、ＦＭ多重放送受信機としては、２つの受信機を使用する構成及び１つの受信機を切り替えて利用する構成が考えられている。
しかし、ＶＩＣＳ情報とＤＧＰＳ情報を受信するために２つの受信機を使うのはコスト、スペースの点で問題がある。このため、１つの受信機を切り替えて使用することになるが、フレーム毎にＶＩＣＳ情報とＤＧＰＳ情報の受信を切り替える方法では、１フレームは約５秒であるため、５秒間分のＶＩＣＳ情報（１フレーム分のＶＩＣＳ情報）が失われてしまう問題がある。
【０００８】
以上から、本発明の目的はＶＩＣＳ情報を失うことなく、ＤＧＰＳ情報を受信することができるＦＭ多重放送の受信方法を提供することである。
本発明の別の目的は、ＤＧＰＳ情報を受信する時間間隔を短縮できるＦＭ多重放送の受信方法を提供することである。
【００１１】
【課題を解決するための手段】
上記課題は本発明によれば、別々の放送局よりＦＭ多重で放送されるＤＧＰＳ情報とＶＩＣＳ情報を１つの受信機で受信するＦＭ多重放送データ受信方法において、ｎ分間のＶＩＣＳ情報が重複して放送される場合、最初のｎ分に相当するｍ個のフレームのうちどの番号のフレームでＶＩＣＳ情報を受信し、どの番号のフレームでＤＧＰＳ情報を受信するかを指定し、かつ、次のｎ分に相当するｍ個のフレームのうち、最初のｎ分においてＶＩＣＳ情報を受信するとしたフレーム番号のフレームではＤＧＰＳ情報を受信し、最初のｎ分においてＤＧＰＳ情報を受信するとしたフレーム番号のフレームではＶＩＣＳ情報を受信することを指定するテーブルを設け、最初のｎ分及び次のｎ分のそれぞれにおいて、前記テーブルを参照してＶＩＣＳ情報を受信するフレームではＶＩＣＳ情報を受信してメモリに記憶し、ＤＧＰＳ情報を受信するフレームではＤＧＰＳ情報を受信してメモリに記憶することにより達成される。
【００１２】
【発明の実施の形態】
（Ａ）第１実施例
（ａ）概略説明
図１は本発明の第１実施例の概略説明図である。ＮＨＫ系列ＦＭ多重局は約  ２．５分、すなわち、３０フレーム分のＶＩＣＳ情報を重複して放送する。第ｉフレームのＶＩＣＳ情報をＶi（ｉ＝１〜３０）と表現すれば、図１（ａ）に示すように前半の２．５分と後半の２．５分とではまったく同一のＶＩＣＳ情報Ｖ1〜Ｖ30が放送されている。同じ情報を受信しても意味がないため、第１実施例では、（ｂ）に示すように、前半の２．５分でＶＩＣＳ情報Ｖ1〜Ｖ30を受信し、後半の２．５分でＤＧＰＳ情報Ｄ1〜Ｄ30を受信する。ただし、第ｉフレームのＤＧＰＳ情報をＤi（ｉ＝１〜３０）と表現している。このようにすれば、ＶＩＣＳ情報を失うことなく、ＤＧＰＳ情報も受信することができる。
【００１３】
ところで、車両がトンネル等の受信電波状態が悪い区域に進入すると、図１（ｃ）の空白（フレームＶ5，Ｖ13，Ｖ22，Ｖ28）で示すように、その間ＶＩＣＳ情報を正しく受信できなくなる。このように、最初のｎ分でＶＩＣＳ情報を正しく受信できないフレーム（Ｖ5，Ｖ13，Ｖ22，Ｖ28）が存在する場合には、次のｎ分でこれらフレームに相当するＤＧＰＳ情報に替えて、フレーム（Ｖ5，Ｖ13，Ｖ22，Ｖ28）のＶＩＣＳ情報を受信してメモリに記憶する。このようにすれば、ｎ分間のＶＩＣＳ情報を正しくメモリに記憶できるようになる。
【００１４】
（ｂ）第１実施例ＦＭ多重放送受信機の構成
図２は第１実施例のＦＭ多重放送受信機の構成図である。
ＦＭ多重放送受信機は、ＦＭ放送信号を受信し、該ＦＭ放送信号に多重されて送られてくるＶＩＣＳ情報、ＤＧＰＳ情報、文字情報等のＦＭ多重放送データを分離、復調してナビゲーションシステムに渡し、あるいはディスプレイ装置に表示するものである。
図中、１はアンテナ、２はフロントエンド（Ｆ／Ｅ）であり、図示しないがアンテナ同調回路や高周波増幅回路、局部発振器、混合器等を有している。３はＰＬＬ回路、４はローパスフィルタ、５は中間周波増幅／ＦＭ検波器（ＩＦ／ＤＥＴ）である。ＰＬＬ回路３、ローパスフィルタ４及びフロントエンド２内蔵の局部発振器は電子選局装置を構成し、局部発振器を受信周波数（選局操作で選択されたＦＭ放送局の周波数）に応じた周波数で発振させ、フロントエンド２内の混合器により中間周波数信号を出力するようになっている。６はノイズキャンセルとステレオ復調を行うノイズキャンセラ／ステレオ復調回路（ＮＣ／ＭＰＸ）、７はＦＭ検波信号からＬ−ＭＳＫ変調信号成分を取り出すフィルタ回路である。
【００１５】
８はＶＩＣＳ用及びＤＧＰＳ用に共用される多重デコーダ、９はプロセッサ（ＣＰＵ）であり、ＶＩＣＳ情報／ＤＧＰＳ情報の受信制御、文字情報表示制御、選局制御等を行うもの、１０は受信したＦＭ多重データ（ＶＩＣＳ情報、ＤＧＰＳ情報、文字放送番組情報等）を記憶するメモリ、１１はユーザが選局操作を行ったり、所望の文字放送番組の選択等を行う操作部、１２は文字情報（ニュース、天気予報等）を画面に表示するディスプレイ装置、１３はＶＩＣＳ情報の受信成功／不成功を管理する管理テーブルである。
【００１６】
多重デコーダ８において、２１はＬ−ＭＳＫ変調信号に遅延検波を施し、ビットクロックの再生とビットデータ列の復調を行うＬ−ＭＳＫ復調回路、２２はブロック同期とフレーム同期の検出を行う同期回路、２３は訂正処理部、２４はＶＩＣＳ情報及びＤＧＰＳ情報を記憶する１フレーム分のＲＡＭである。訂正処理部２３は、ＣＲＣチェック部２３ａと、横訂正／縦訂正を行う誤り検出訂正部２３ｂを備えている。ＣＲＣチェック部２３ａは１ブロック毎のＣＲＣチェックを行い、誤り検出訂正部２３ｂは同期回路から入力したブロック同期とフレーム同期の検出信号に基づいて、ビットデータ列にＰＮ復号を施した後、所定のフォーマットに区切りながらＲＡＭ２４に一時記憶させると共に、パリティ符号を用いてシンドロームデータを生成し、シンドロームに対する多数決判定により横訂正、縦訂正の誤り訂正を行う。尚、誤り検出訂正部２３ｂは、ＶＩＣＳ情報には横訂正→縦訂正→横訂正を行い、ＤＧＰＳ情報に対しては横訂正のみを施す。
メモリ１０には図３に示すように前半と後半の３０フレーム分のＶＩＣＳ情報／ＤＧＰＳ情報を記憶する領域ＦＡ，ＢＡが設けられており、図１（ｂ），（ｃ）で示すようにＶＩＣＳ情報、ＤＧＰＳ情報が記憶されるようになっている。
管理テーブル１３には図４に示すように３０フレーム分の管理項目欄が設けられ、各項目に２．５分間の３０個のＶＩＣＳ情報フレーム（Ｖ1〜Ｖ30）が正しく受信して記憶されたか否か（受信成功／不成功）が記入されるようになっている。
【００１７】
（ｃ）処理
図５は本発明のＶＩＣＳ／ＤＧＰＳ情報受信処理の全体の流れ図である。
最初、ＣＰＵ９の選局制御でＮＨＫ系列ＦＭ多重局よりＶＩＣＳ情報を受信し（ステップ１０１）、フレーム先頭ブロックのプリフィックスの更新フラグを参照し、０”（非更新）か”１”（更新）かを判別する（ステップ１０２）。更新フラグが”１”であれば、新しいＶＩＣＳ情報の送信を意味しており、ｉを１に初期化し、又、前後半フラグを”１”にする（ステップ１０３）。ついで、図６の前半処理ルーチンを実行し（ステップ１０４）、実行完了後はじめに戻る。
一方、ステップ１０２で更新フラグが”０”であれば、それまでに送られてきているものと同一のＶＩＣＳ情報であることを意味しており、ｉを１に初期化し、又、前後半フラグを”０”にする（ステップ１０５）。ついで、図７の後半処理ルーチンを実行し（ステップ１０６）、実行完了後はじめに戻る。
【００１８】
(c-1) 前半処理ルーチン
前半処理ルーチンでは、まず、前半の２．５分における第１フレームのＶＩＣＳ情報を受信し（ステップ２０１）、多重デコーダの訂正処理部２３は該ＶＩＣＳ情報に横−縦−横の誤り訂正処理を施し（ステップ２０２）、ＶＩＣＳ情報に含まれるエラーが訂正しきれたかチェックし（ステップ２０３）、ＶＩＣＳ情報にエラーがなければ該ＶＩＣＳ情報をＣＰＵ９に送出し（ステップ２０４）、エラーが残存していればエラー発生をＣＰＵ９に通知する（ステップ２０５）。
【００１９】
ＣＰＵ９は多重デコーダ８からの通知により、受信したＶＩＣＳ情報をメモリ１０の情報記憶領域ＦＡの第ｉフレームに対応する領域に記憶し、かつ、管理テーブル１４（図４参照）の第ｉフレームに対応する項目欄に成功（”１”）または不成功（”０”）を記入する（ステップ２０６）。
ついで、前後半フラグＦが”１”であるかチェックする（ステップ２０７）。この場合、Ｆ＝”１”であるから、次に、ｉ＝３０かチェックする（ステップ２０８）。ｉ＜３０であれば、ｉを歩進して（ステップ２０９）、ステップ２０１に戻り次のフレームのＶＩＣＳ情報を受信して上記処理を繰り返す。しかし、ステップ２０８において、ｉ＝３０であれば、前半２．５分のＶＩＣＳ情報の受信が終了し、図５の最初のスタートに戻る。
次のＶＩＣＳ情報の更新フラグは”０”であるから、ステップ１０５（１→ｉ、”０”→Ｆ）を介して後半処理ルーチンが開始する。
【００２０】
(c-2) 後半処理ルーチン
後半処理ルーチンでは、まず、管理テーブル１４を参照して第１フレームのＶＩＣＳ情報の受信が成功しているかチェックし（ステップ３０１）、成功していれば、ＣＰＵ９は選局制御により受信局をＮＨＫ系列ＦＭ多重局からＪＦＮ系列ＦＭ多重局に切り替える（ステップ３０２）。
多重デコーダ８は第ｉフレームのＤＧＰＳ情報を受信し、多重デコーダの訂正処理部２３は該ＤＧＰＳ情報に横訂正処理を施し（ステップ３０３）、ＤＧＰＳ情報をＣＰＵ９に送出する（ステップ３０４）。ＣＰＵ９はＤＧＰＳ情報を受信すると該ＤＧＰＳ情報をメモリ１０の情報記憶領域ＦＢの第ｉフレームに対応する領域に記憶する（ステップ３０５）。ついで、ｉ＝３０かチェックする（ステップ３０６）。ｉ＜３０であれば、ｉを歩進して（ステップ３０７）、ステップ３０１に戻り上記処理を繰り返す。しかし、ステップ３０６において、ｉ＝３０であれば、後半２．５分のＤＧＰＳ情報の受信が終了し、図５の最初のスタートに戻る。
【００２１】
一方、ステップ３０１において、第ｉフレームのＶＩＣＳ情報を正しく受信できず、受信不成功の場合には、ＣＰＵ９は選局制御により受信局をＮＨＫ系列ＦＭ多重局に切り替え（ステップ３０８）、図６のステップ２０１以降の処理を行う。すなわち、第ｉフレームのＶＩＣＳ情報を受信し（ステップ２０１）、多重デコーダの訂正処理部２３は該ＶＩＣＳ情報に横−縦−横の誤り訂正処理を施し（ステップ２０２）、ＶＩＣＳ情報に含まれるエラーが訂正しきれたかチェックし（ステップ２０３）、ＶＩＣＳ情報にエラーがなくなれば第ｉフレームの該ＶＩＣＳ情報をＣＰＵ９に送出し（ステップ２０４）、エラーが残存していればエラー発生をＣＰＵ９に通知する（ステップ２０５）。
【００２２】
ＣＰＵ９は多重デコーダ８からの通知により、受信したＶＩＣＳ情報をメモリ１０の情報記憶領域ＦＢの第ｉフレームに対応する領域に記憶し、かつ、管理テーブル１４（図４参照）の第ｉフレームに対応する項目欄に成功（”１”）、不成功（”０”）を記入する（ステップ２０６）。
ついで、前後半フラグＦが”１”であるかチェックする（ステップ２０７）。こに場合、Ｆ＝”０”であるから、図７のステップ３０６以降の処理を行う。すなわち、ｉ＝３０かチェックする（ステップ３０６）。ｉ＜３０であれば、ｉを歩進して（ステップ３０７）、ステップ３０１に戻り上記処理を繰り返す。しかし、ステップ３０６において、ｉ＝３０であれば、後半２．５分のＤＧＰＳ情報及び前半で受信不成功であったＶＩＣＳ情報の受信が終了し、図５の最初のスタートに戻る。
【００２３】
（Ｂ）第２実施例
（ａ）概略説明
第１実施例は２．５分毎にＶＩＣＳ情報とＤＧＰＳ情報を交互に受信するものである。しかし、かかる方法ではＤＧＰＳ情報の受信間隔が２．５分となり、最新のＧＰＳ補正データを受信できない。
そこで、ｎ（＝２．５）分間のＶＩＣＳ情報が重複して放送される場合、最初の２．５分では該２．５分に相当する３０フレームのうちｍ1フレーム分のＶＩＣＳ情報を受信してメモリに記憶し、かつ、ｍ2（＝３０−ｍ1）フレームのＤＧＰＳ情報を受信してメモリに記憶する。そして、次の２．５分では、最初の２．５分でＤＧＰＳ情報を受信したタイミングでｍ2フレームのＶＩＣＳ情報を受信してメモリに記憶すると共に、最初の２．５でＶＩＣＳ情報を受信したタイミングでｍ1フレームのＤＧＰＳ情報を受信してメモリに記憶する。
【００２４】
例えば、図８に示すように、最初の２．５分では、奇数番号フレームでＶＩＣＳ情報（Ｖ1、Ｖ3、・・・Ｖ29）を受信して情報記憶領域ＦＡの対応する領域に記憶し、偶数番号フレームでＤＧＰＳ情報（Ｄ2、Ｄ4、・・・Ｖ30）を受信してメモリの情報記憶領域ＦＡの対応する領域に記憶する。そして、次の２．５分では、偶数番号フレームでＶＩＣＳ情報（Ｖ2、Ｖ4、・・・Ｖ30）を受信して情報記憶領域ＦＢの対応する領域に記憶し、奇数番号フレームでＤＧＰＳ情報（Ｄ1Ｄ3、・・・Ｖ29）を受信してメモリの情報記憶領域ＦＢの対応する領域に記憶する。このようにすれば、ＤＧＰＳ情報を最初と次のｎ分間において受信でき、しかも、それぞれにおいて、受信するＤＧＰＳ情報フレームを点在させることにより、ＤＧＰＳ情報の受信間隔を短縮でき、最新のＤＧＰＳ情報を入手することができる。
【００２５】
この場合、予め、どのフレームでＶＩＣＳ情報を受信し、どのフレームでＤＧＰＳ情報を受信するかを定めたテーブルを設け、該テーブルを参照してＶＩＣＳ情報、ＤＧＰＳ情報を受信するようにすれば、簡単な制御でＶＩＣＳ情報／ＤＧＰＳ情報の受信制御を行うことができる。図９はこのＶＩＣＳ／ＤＧＰＳ情報読出しフレームを規定するレイアウト管理テーブル例であり、前半と後半でトータル６０フレームに対応した欄があり、各欄にＶＩＣＳ情報を読み出すか、ＤＧＰＳ情報を読み出すかが記入されている。尚、ＶはＶＩＣＳ情報、ＤはＤＧＰＳ情報であり、図８に示すパターンでＶＩＣＳ情報とＤＧＰＳ情報を読み出す場合について示してある。又、前半と、後半ではＶＩＣＳ情報とＤＧＰＳ情報の読出しフレームが逆なっているから、前半のみのＶＩＣＳ／ＤＧＰＳ情報の読出しフレームを規定するように構成することもできる。ＶＩＣＳ／ＤＧＰＳ情報読出しフレームを規定するレイアウト管理テーブルの内容は任意に設定できる。
【００２６】
（ｂ）第２実施例ＦＭ多重放送受信機の構成
図１０は第２実施例のＦＭ多重放送受信機の構成図であり、図２の第１実施例と同一部分には同一符号を付している。図２の第１実施例と異なる点は、第１実施例の受信成功／不成功管理テーブル１３を削除し、替わって、レイアウト管理テーブル１５を設けた点である。
【００２７】
（ｃ）処理
図１１は第２実施例のＶＩＣＳ／ＤＧＰＳ情報受信処理の流れ図である。
ＣＰＵ９は選局制御により、受信局をＮＨＫ系列ＦＭ多重局に切り替え、該ＮＨＫ系列ＦＭ多重局からＶＩＣＳ情報を受信する。デコーダ８はフレーム先頭ブロックの更新フラグがそれまで”０”であったものが”１”になるフレームを検出してＣＰＵに通知する（ステップ４０１）。これにより、ＣＰＵはｉを１に初期化する（ステップ４０２）。
【００２８】
ついで、ＣＰＵはレイアウト管理テーブル１５を参照して、第ｉ番目に読み出すべきフレームがＶＩＣＳ情報フレームであるか、ＤＧＰＳ情報フレームであるか判別する（ステップ４０３，４０４）。読み出すべき情報がＶＩＣＳ情報であれば、ＣＰＵはＮＨＫ系列ＦＭ多重局の選局制御を行い、チューナはＮＨＫ系列ＦＭ多重局から受信したＶＩＣＳ情報をデコーダ８に入力し（ステップ４０５）、デコーダ８は１フレーム分のＶＩＣＳ情報を受信した後、誤り訂正処理を施してＣＰＵ９に出力する（ステップ４０６）。一方、ステップ４０４において、読み出すべき情報がＤＧＰＳ情報であれば、ＣＰＵはＪＦＮ系列ＦＭ多重局の選局制御を行い、チューナはＪＦＮ系列ＦＭ多重局から受信したＤＧＰＳ情報をデコーダ８に入力し（ステップ４０７）、デコーダ８は２ブロックのＤＧＰＳ情報を受信した後、誤り訂正処理を施してＣＰＵ９に出力する（ステップ４０８）。
【００２９】
ＣＰＵ９はデコーダよりＶＩＣＳ情報あるいはＤＧＰＳ情報を受信すれば、メモリ１０の情報記憶領域（図８参照）に書き込む（ステップ４０９）。
ついで、ｉ＝６０になったかチェックし（ステップ４１０）、ｉ＜６０であればｉを歩進し（ステップ４１１）、以後、ステップ４０３以降の処理を繰り返す。ｉ＝６０になれば、２．５分間のＶＩＣＳ情報及びＤＧＰＳ情報の受信が完了する。
以上、本発明を実施例により説明したが、本発明は請求の範囲に記載した本発明の主旨に従い種々の変形が可能であり、本発明はこれらを排除するものではない。
【００３２】
【発明の効果】
以上本発明によれば、ｎ分間のＶＩＣＳ情報が重複して放送される場合、最初のｎ分に相当するｍ個のフレームのうちどの番号のフレームでＶＩＣＳ情報を受信し、どの番号のフレームでＤＧＰＳ情報を受信するかを指定し、かつ、次のｎ分に相当するｍ個のフレームのうち、最初のｎ分においてＶＩＣＳ情報を受信するとしたフレーム番号のフレームではＤＧＰＳ情報を受信し、最初のｎ分においてＤＧＰＳ情報を受信するとしたフレーム番号のフレームではＶＩＣＳ情報を受信することを指定するテーブルを設け、最初のｎ分及び次のｎ分のそれぞれにおいて、前記テーブルを参照してＶＩＣＳ情報を受信するフレームではＶＩＣＳ情報を受信してメモリに記憶し、ＤＧＰＳ情報を受信するフレームではＤＧＰＳ情報を受信してメモリに記憶するようにしたから、ＤＧＰＳ情報を最初と次のｎ分間においてそれぞれ受信でき、しかも、それぞれにおいて、受信するＤＧＰＳ情報フレームを点在させることにより、ＤＧＰＳ情報の受信間隔を短縮でき、最新のＤＧＰＳ情報を入手することができる。この場合、予め、どのフレームでＶＩＣＳ情報を受信し、どのフレームでＤＧＰＳ情報を受信するかを定めたテーブルを設け、該テーブルを参照してＶＩＣＳ情報、ＤＧＰＳ情報を受信するようにすれば、簡単な制御でＶＩＣＳ情報／ＤＧＰＳ情報の受信制御を行うことができる。
【図面の簡単な説明】
【図１】本発明の第１実施例の概略説明である。
【図２】本発明のＦＭ多重放送受信機の第１の構成図である。
【図３】メモリのＶＩＣＳ／ＤＧＰＳ情報記憶領域説明図である。
【図４】ＶＩＣＳ情報の受信成功／不成功管理テーブルの説明図である。
【図５】第１実施例のＶＩＣＳ／ＤＧＰＳ受信処理フローである。
【図６】前半処理ルーチンのフローである。
【図７】後半処理ルーチンのフローである。
【図８】第２実施例によりメモリのＶＩＣＳ／ＤＧＰＳ情報記憶領域へＶＩＣＳ／ＤＧＰＳ情報を記憶した例である。
【図９】ＶＩＣＳ／ＤＧＰＳレイアウト管理テーブルである。
【図１０】本発明のＦＭ多重放送受信機の第２の構成図である。
【図１１】第２実施例のＶＩＣＳ／ＤＧＰＳ受信処理フローである。
【図１２】ＦＭ多重データのフレーム構成図である。
【図１３】プリフィックスの構成図である。
【符号の説明】
８・・デコーダ
９・・ＣＰＵ
１０・・メモリ
１３・・受信成功／不成功管理テーブル
【図１】
0003792863.tif 000002
【図２】
0003792863.tif 000003
【図３】
0003792863.tif 000004
【図４】
0003792863.tif 000005
【図５】
0003792863.tif 000006
【図６】
0003792863.tif 000007
【図７】
0003792863.tif 000008
【図８】
0003792863.tif 000009
【図９】
0003792863.tif 000010
【図１０】
0003792863.tif 000011
【図１１】
0003792863.tif 000012
【図１２】
0003792863.tif 000013
【図１３】
0003792863.tif 000014